(57)【特許請求の範囲】
【請求項１】
合成樹脂フィルムで覆われるビニルハウスであり、隣接するビニルハウスの谷部長手方向に沿って配設され、前記合成樹脂フィルムが止着されるビニルハウス用谷樋であって、
表面が不規則な模様の柄に凹凸加工された金属板により形成されたビニルハウス用谷樋。
【請求項２】
前記凹凸の高さの差が０．１ｍｍ以上である請求項１記載のビニルハウス用谷樋。
【発明の詳細な説明】
【技術分野】
【０００１】
本発明は、合成樹脂フィルムで覆われるビニルハウスであり、隣接するビニルハウスの谷部長手方向に沿って配設されるビニルハウス用谷樋に関する。
【背景技術】
【０００２】
従来、農業用のビニルハウスとして、合成樹脂フィルムで覆われるビニルハウスを並設した連棟タイプのものがあり、これらはビニルハウスの屋根面谷部に水が溜まらないように、隣接するビニルハウス間の谷部長手方向に沿ってビニルハウス用谷樋が設けられている（例えば、特許文献１参照。）。このビニルハウス用谷樋は、一般的にスチール製である。
【先行技術文献】
【特許文献】
【０００３】
【特許文献１】特開２００５−２５３４１７号公報
【発明の概要】
【発明が解決しようとする課題】
【０００４】
ところで、近年用いられているビニルハウス用の合成樹脂フィルムは、耐候性が著しく向上して数年の使用には耐えられるようになっているにも関わらず、スチール製の谷樋を用いた場合に、いわゆる「フィルム焼け」と称されるフィルム劣化が報告されている。フィルム焼けが生じると、短期間（例えば２年程度）で破損したり、谷樋にくっついてしまい、引き剥がせなくなったりするのである。
【０００５】
そこで、本発明においては、ビニルハウスを覆う合成樹脂フィルムの劣化を防止することが可能なビニルハウス用谷樋を提供することを目的とする。
【課題を解決するための手段】
【０００６】
本発明のビニルハウス用谷樋は、合成樹脂フィルムで覆われるビニルハウスであり、隣接するビニルハウスの谷部長手方向に沿って配設され、合成樹脂フィルムが止着されるビニルハウス用谷樋であって、表面が凹凸加工された金属板により形成されたことを特徴とする。
【０００７】
本発明のビニルハウス用谷樋によれば、合成樹脂フィルムと接触する面が凹凸加工された金属板の表面であるため、太陽光が鏡面反射することなく、乱反射するようになり、光反射率が低減するので、フィルム焼けの発生を防止することが可能となる。また、この凹凸により合成樹脂フィルムとビニルハウス用谷樋との接触面に微小な隙間が形成され、この微小な隙間に空気が入るようになるため、結露により発生した水や雨水等の水分が乾きやすくなり、合成樹脂フィルムのべた付きを防止することが可能となり、合成樹脂フィルムがビニルハウス用谷樋にくっついてしまうのを防止することができる。
【発明の効果】
【０００８】
表面が凹凸加工された金属板により形成されたビニルハウス用谷樋によれば、フィルム焼けの発生を防止することができるとともに、合成樹脂フィルムのべた付きを防止して、ビニルハウス用谷樋にくっついてしまうのを防止することができるため、合成樹脂フィルムの劣化を防止することが可能となる。
【図面の簡単な説明】
【０００９】
【図１】本発明の実施の形態における谷樋をビニルハウスに配設した状態を示す説明図である。
【図２】図１の谷樋の正面図である。
【図３】図１の谷樋表面の凹凸を示す拡大図である。
【図４】図２のＡ部拡大図である。
【発明を実施するための形態】
【００１０】
図１は本発明の実施の形態における谷樋をビニルハウスに配設した状態を示す説明図、図２は図１の谷樋の正面図、図３は図１の谷樋表面の凹凸を示す拡大図である。
【００１１】
図１に示すように、本発明の実施の形態における谷樋１は、連棟型ビニルハウス２の隣接するビニルハウス２ａ，２ｂ間に形成された谷部３に配設される。ビニルハウス２ａ，２ｂは合成樹脂フィルムとしてのビニルシートＳで覆われている。谷樋１は、図１に示すハウス構築用のパイプ材４，５のうち、屋根形成用のパイプ材４に図示しない汎用留め具によって連結固定される。
【００１２】
谷樋１は、図２に示すように、底壁１０と左右側壁１１とから構成されており、底壁１０の左右縁から左右側壁１１を漸次拡開させながら上方へ伸延させた樋形状が形成されている。谷樋１は、表面が凹凸加工された金属板を、図２に示す形状に曲げ加工することにより形成されている。本実施形態においては、金属板として、アルミニウム・亜鉛合金めっき鋼板を用いている。
【００１３】
また、谷樋１の表面は、図３に示すように、金属板を裏面から押し上げて表面に凸ませる（もしくは表面から押し下げて表面を凹ませる）ことにより凹凸を形成している。なお、図３において、黒地部分が凸部１ａを、白地部分が凹部１ｂをそれぞれ表している。凹凸の柄は、図３に示すような不規則的な模様の他、メロン模様、蛇模様、縞模様、錦模様や木目模様等の様々な模様を用いることが可能である。
【００１４】
側壁１１は、底壁１０から略４５度の角度で上方へ伸延した下側壁１１ａと、この下側壁１１ａに対して略２０度引き起こすように折曲させて伸延させた中途壁１１ｂと、この中途壁１１ｂから下側壁１１ａと略平行に伸延させた上部壁１１ｃとからなる。また、上部壁１１ｃの上部位置には、断面視蟻溝形状のシート定着用溝１２が側壁１１と連続して一体的に形成されている。
【００１５】
シート定着用溝１２は、ビニルハウス２ａ，２ｂを構築する際に、ビニルシートをハウス構築用パイプに定着するときに用いるレール状の一般的なシート留材と同様な形状であり、溝底をなすシート受面１３と、このシート受面１３よりも狭く形成された溝開口部１４とを有する。屋根形成用のシートＳは、シート定着用溝１２内に、弾性を有するクランプ材Ｃにより狭圧して定着される。
【００１６】
上記構成の谷樋１では、ビニルシートＳと接触する面が凹凸加工された金属板の表面であるため、太陽光が鏡面反射することなく、乱反射するようになる。これにより、谷樋１表面の光反射率が低減するので、フィルム焼けの発生が防止され、ビニルシートＳの劣化が防止される。
【００１７】
また、図４に示すように、谷樋１の凸部１ａおよび凸部１ｂにより形成される凹凸によって、ビニルシートＳと谷樋１との接触面に微小な隙間１ｃが形成され、この微小な隙間１ｃに空気が入るようになる。これにより、結露により発生した水や雨水等の水分が乾きやすくなり、ビニルシートＳのべた付きが防止され、ビニルシートＳが谷樋１にくっついてしまうことが防止され、ビニルシートＳの劣化が防止される。
【００１８】
なお、本実施形態における谷樋１においては、金属板の厚さは、凹凸まで含めて０．３〜０．８ｍｍとしている。また、凹凸の高さの差は０．１ｍｍ以上、より好ましくは０．２ｍｍ以上、０．７ｍｍ以下である。また、凸部１ａおよび凹部１ｂのそれぞれの幅Ｘ，Ｙ（図４参照。）は、１ｍｍ〜１０ｍｍ程度である。これらの範囲にあれば、ビニルシートＳと谷樋１との接触面に充分な隙間１ｃが形成され、ビニルシートＳのべた付きを最も効果的に防止することができる。
【産業上の利用可能性】
【００１９】
本発明のビニルハウス用谷樋は、隣接するビニルハウスの谷部長手方向に沿って配設されるビニルハウス用谷樋として有用であり、特に、ビニルハウスを覆う合成樹脂フィルムの劣化を防止することが可能なビニルハウス用谷樋として好適である。
【符号の説明】
【００２０】
１  谷樋
１ａ  凸部
１ｂ  凹部
１ｃ  隙間
２  連棟型ビニルハウス
２ａ，２ｂ  ビニルハウス
３  谷部
４，５  パイプ材
１０  底壁
１１  側壁
１１ａ  下側壁
１１ｂ  中途壁
１１ｃ  上部壁
１２  シート定着用溝
１３  シート受面
１４  溝開口部
Ｓ  シート
Ｃ  クランプ材
【図１】
0006001021.tif 000002
【図２】
0006001021.tif 000003
【図３】
0006001021.tif 000004
【図４】
0006001021.tif 000005